(57)【要約】      （修正有）【課題】洋式便器の前端に近接させて置く小用スツールにおいて、小便時にズボンの大腿部分が便器に接触することがなく、使用後は閉じて小さくできる小用スツールを提供する。【解決手段】本発明に係る小用スツール１は、洋式便器２の前端に近接させて置く小用スツールであって、便器上面よりも高位置の円形の天板を有し、便器に近接した背面には側板がない、縦置きの円筒部と、円筒部背面の左右何れかの側板円周側端部と天板から、一体となって外側後方へ、概ね便器の上部とその外縁に沿って延伸された、延伸部とで形成される外筒ブロックと、更に、外筒ブロックの円筒部に回転可能に内嵌される、小円筒部と、外筒ブロックの延伸部とは反対側の、小円筒部の側板円周側端部と天板から、一体となって外側後方へ、概ね便器の上部とその外縁に沿って延伸された、延伸部とで形成される内筒ブロックと、で構成し、使用時は両の延伸部を左右に開いて使用する。【選択図】図１
2018114016.tif 000002
【特許請求の範囲】
【請求項１】
洋式便器の前端に近接させて置く小用スツールであって、該便器上面よりも高位置の円形の天板を有して、該便器に近接した背面には側板がない、縦置きの円筒部と、該円筒部背面の左右何れかの前記側板円周側端部と前記天板から、一体となって外側後方へ、概ね前記便器の上部とその外縁に沿って延伸された、延伸部とで形成される外筒ブロックと、更に、該外筒ブロックの前記円筒部に回転可能に内嵌され、前記便器上面よりも高位置の円形の天板を備えて背面に側板のない小円筒部と、前記外筒ブロックの前記延伸部とは反対側の、該小円筒部の該側板円周側端部と該天板から、一体となって外側後方へ、概ね前記便器の上部とその外縁に沿って延伸された、延伸部とで形成される内筒ブロックと、で構成されており、使用時は両の前記延伸部を左右に開き、使用後は閉じることができる小用スツール。
【発明の詳細な説明】
【技術分野】
【０００１】
本発明は、洋式便器の前端に近接させて置き、小便の用に供する小用スツールに関するものである。
【背景技術】
【０００２】
洋式便器を用いての男性の小便のし方には二通りの方法があり、一つは便座に座ってする方法と、もう一つは便器に向かって立ってする方法であって、便座に座る方法では尿の跳ね返りがなく、衛生的であるがズボンと下着を下ろす必要があり、その煩わしさから立ってすることが多い。しかし、立ち小便では尿の放出距離が長くなるため、尿の跳ね返りが大量に発生して、便器上面、洗浄操作パネル（アーム型）、ズボン、周辺の壁や床を汚して不衛生であるほか、室内に悪臭を放つ原因となっている。
【０００３】
そこで、便器の前端にスツールを置き、立ち小便の体勢のままスツールに座って小便をすれば、ズボンと下着を下ろす必要がなく、尿の跳ね返りをなくすることが可能となるが、そのためには尿の放出距離を短くすることが必須であることから、可能な限り便器上面に近接した低いスツールに座る必要がある。しかし、それが原因でズボンの大腿部分が便器に接触しそうな不快感があるほか、不注意で実際に便器に接触したり、或いは太いズボンや半ズボンの場合には、ズボンの大腿部分が垂れ下がって便器に接触することが起きるが、便器の上面は大便または小便時の跳ね返りや臀部洗浄時の飛沫で汚れている場合が多く、ズボンが汚れて不衛生である。
【０００４】
また一般的に、トイレは用を足すことに必要なだけのスペースしかない狭い部屋であることが多く、小便を足した後、スツールを壁際に置いたとしても、人が動く際に邪魔になるという問題も起きる。
【発明の概要】
【発明が解決しようとする課題】
【０００５】
本発明は、上記の課題を解決するためになされたものであって、小便時にズボンの大腿部分が便器に接触することがなく、使用後は閉じて小さくできる小用スツールを提供することを目的としている。
【課題を解決するための手段】
【０００６】
前記課題を解決するため、本発明に係る小用スツールは、洋式便器の前端に近接させて置く小用スツールであって、該便器上面よりも高位置の円形の天板を有して、該便器に近接した背面には側板がない、縦置きの円筒部と、該円筒部背面の左右何れかの前記側板円周側端部と前記天板から、一体となって外側後方へ、概ね前記便器の上部とその外縁に沿って延伸された、延伸部とで形成される外筒ブロックと、更に、該外筒ブロックの前記円筒部に回転可能に内嵌され、前記便器上面よりも高位置の円形の天板を備えて背面に側板のない小円筒部と、前記外筒ブロックの前記延伸部とは反対側の、該小円筒部の該側板円周側端部と該天板から、一体となって外側後方へ、概ね前記便器の上部とその外縁に沿って延伸された、延伸部とで形成される内筒ブロックと、で構成されており、使用時は両の前記延伸部を左右に開き、使用後は閉じることができることを特徴としている。
【０００７】
上記のうち、「背面」、「左右」、「外側後方」とは、便器の前端を正面から見ての方向を示している。上記の構成によれば、小用スツールの延伸部を左右に開いた状態で、開いた側を便器の前端に近接させて置いたとき、便器前部の上面と側面が、小用スツールの円形天板の後部と、延伸部によって覆われるため、立ち小便の体勢のまま小用スツールの円筒部に座った際に、ズボンの大腿部分が便器に接触することがない。また、使用後には、開いた状態の延伸部を閉じれば小用スツールの幅が小さくなるため、壁際に置いたときに、人が動く際の邪魔になりにくい。
【発明の効果】
【０００８】
本発明によれば、小便時にズボンが便器に接触しないので衛生的で、且つ、使用後は閉じることによって小さくなるため、邪魔になりにくい小用スツールを提供することができる。
【図面の簡単な説明】
【０００９】
【図１】小用スツールを便器にセットした状態の斜視図である。
【図２】小用スツールの使用状態を表した図である。
【図３】小用スツールを便器にセットした状態の平面図である。
【図４】小用スツールの正面図である。
【図５】小用スツールの底面図である。
【図６】小用スツールの延伸部を閉じた状態の平面図である。
【図７】他の形状の小用スツールと便器を表した平面図である。
【発明を実施するための形態】
【００１０】
以下、本発明の実施の形態について図面に基づいて説明する。
【００１１】
図１は、本実施形態に係る小用スツール１の便器２へのセット位置を、図２は、それらを使用しての小便のし方を表した図である。図３、図４、図５に示すように、小用スツール１は大きく分けて外筒ブロックGと内筒ブロックNで構成されていて、外筒ブロックGは、円形の天板７ｇと側板８ｇとで形成された縦置きの円筒部５ｇを有し、便器２に近接したその背面は側板８ｇがない形状になっていて、その右側の側板８ｇ円周側端部と天板７ｇから一体となって、便器２の右方向の上面とその外縁に沿って、便器２の上面と側面を覆うように延伸部６ｇが延設されている。その延設距離は、天板９ｇの延伸した先端から内側へ引かれた線が、便器２の前後方向の中心線と直角に交わるポイントから、便器２の前端上面の内側までの距離を、５０〜１５０ｍｍとすることが望ましく、本実施形態では１００ｍｍとなっている。また、円筒部５ｇの外径は１６０〜２３０ｍｍとすることが望ましく、本実施形態では１８０ｍｍとなっている。
【００１２】
内筒ブロックNは、外筒ブロックGの円筒部５ｇに回転可能に内嵌され、円形の天板７ｎと側板８ｎを備えて背面には側板８ｎのない小円筒部５ｎを有し、その左側の側板８ｎ円周側端部と天板７ｎから一体となって、便器２の左方向の上面とその外縁に沿って、便器２の上面と側面を覆うように延伸部６ｎが延設されている。その延設距離は外筒ブロックＧと同様である。小用スツール１の高さは、内筒ブロックNの延伸部６ｎの天板９ｎ下面と、便器２の上面との間隙が１０〜３０ｍｍとなるよう設定することが望ましい。また、外筒ブロックＧの天板７ｇの強度が増すように、天板７ｇの下面に天板７ｎの上面が当接するよう製作することが望ましい。
【００１３】
尚、本実施形態では図３のように、外筒ブロックＧの延伸部６ｇが右側に、内筒ブロックＮの延伸部６ｎが左側に設けられているが、これを逆の、外筒ブロックＧの延伸部６ｇを左側に、内筒ブロックＮの延伸部６ｎを右側に配置してもよい。
【００１４】
外筒ブロックＧの天板７ｇの中心にはセンター孔１２ｇが開設されていて、その内径と同径で天板７ｇから下方へ短管１３が形設されており、センター孔１２ｎ（図５）を有する内筒ブロックＮの天板７ｎがその短管１３に回転可能に外嵌されていて、短管１３の下部に固定環１４が、天板７ｎとの適度な間隙を持って嵌着されている。
【００１５】
内筒ブロックＮは外筒ブロックＧに対して、範囲限定で短管１３を中心に回転が可能であり、延伸部６ｎを外側へ開いたときは、内筒ブロックＮの小円筒部５ｎ側板８ｎの外面が、外筒ブロックＧの円筒部５ｇ側板８ｇの内面に接触しながら回転し、小円筒部５ｎの側板８ｎと延伸部６ｎの側板１０ｎの境界部が、外筒ブロックＧ側板８ｇの左の円周側端部に当接して止まる（図３）。また、延伸部６ｎ（図５）の天板９ｎ内側の外形線と小円筒部５ｎの天板７ｎ外周との接続部に段差によるストッパー１１ｎ（図５）が形設されており、延伸部６ｎを内側へ閉じると、外筒ブロックＧの円筒部５ｇの側板８ｇと延伸部６ｇの側板１０ｇの境界部に、内筒ブロックＮのストッパー１１ｎが当接して止まる（図６）。
【００１６】
小用スツール１は、前方が角張った形状の便器２に適合する図７の形状であってもよい。この場合は、便器の前端が直線に近くなるため、図３の小用スツールに比べて、左右の延伸部の中央後端から円筒部中心までの距離が少し大きくなっている。
【００１７】
次に、本実施形態に係る小用スツール１の使用方法について説明する。  
【００１８】
図１、図３。小用スツール１のセンター孔１２ｇに右手の親指を挿入して円筒部５ｇを掴み、小用スツール１を持ち上げて左手で左の延伸部６ｎを持ち、左右の延伸部６ｇ・６ｎを開いて、その開いた側を、便座２ａを上げた状態（図２）の便器２の前方から、延伸部６ｇの天板９ｇと延伸部６ｎの天板９ｎが便器２の上面を覆うように置き、特に便器２の前端の上面が丁度隠れるように置く。このとき、便器２の上部外縁に延伸部６ｇ・６ｎが沿うように延伸部６ｇ・６ｎの開度を調節する。
【００１９】
図２に示すように、便器２に向かい、ズボンの前開き部からの立ち小便をする体勢のまま、小用スツール１の円筒部５ｇに脚を開いて座る。このとき、汚れていることの多い便器２の上面とその外縁が、左右の延伸部６ｇ・６ｎで覆われているため、不快感がなく、また、便器２の上面とその外縁にズボンが接触することなく座ることができる。この状態で、ズボンの前開き部の下部を指で押し下げて尿道を圧迫しないよう放尿するが、最も低い位置から、便器２の内部傾斜の高部に尿を放出することになるため、放出距離が非常に短くなり、更に、低い位置から傾斜の低方向への放出となるため、尿の跳ね返りがない衛生上好ましい状態で小便をすることができる。終了後、開いた延伸部６ｇ・６ｎを閉じることによって、小用スツール１の幅を小さくすることができるため、人が動く際にあまり邪魔になることなく、壁際などに置くことができる。
【符号の説明】
【００２０】
１    小用スツール
２    便器
２ａ    便座
Ｇ    外筒ブロック
５ｇ    円筒部
６ｇ    延伸部
７ｇ    天板
８ｇ    側板
９ｇ    天板
１０ｇ    側板
１２ｇ    センター孔
Ｎ    内筒ブロック
５ｎ    小円筒部
６ｎ    延伸部
７ｎ    天板
８ｎ    側板
９ｎ    天板
１０ｎ    側板
１１ｎ    ストッパー
１２ｎ    センター孔
１３    短管
１４    固定環
【図１】
2018114016.tif 000003
【図２】
2018114016.tif 000004
【図３】
2018114016.tif 000005
【図４】
2018114016.tif 000006
【図５】
2018114016.tif 000007
【図６】
2018114016.tif 000008
【図７】
2018114016.tif 000009